(57)【要約】【課題】設置空間の天井が低い場合や設置後の配置替えがあった場合などであっても、設置環境に係らずに設置することが出来る空気調和装置を提供すること。【解決手段】この空気調和装置は、正面パネル、側面パネル、背面パネル、及び底面パネルにより形成された本体ケーシングと、底面パネル、正面パネルおよび／または背面パネルのそれぞれに設けられた空気吹出口と、本体ケーシング内に備えられ、本体ケーシングの上部から吸い込んだ空気を冷却する熱交換器と、熱交換器下部に配置され、冷却された空気を送風するファンと、ファンを覆い、ファンにより送風される空気を一方向に導くダクトを備えた回転自在なファンケーシングとを備え、ダクトが前記空気吹出口のいずれか一つに連通しているものである。【選択図】図１
2012163274.tif 000002
【特許請求の範囲】
【請求項１】
正面パネル、側面パネル、背面パネル、及び底面パネルにより形成された本体ケーシングと、
前記底面パネル、前記正面パネルおよび／または前記背面パネルのそれぞれに設けられた空気吹出口と、
前記本体ケーシング内に備えられ、前記本体ケーシングの上部から吸い込んだ空気を冷却する熱交換器と、
前記熱交換器下部に配置され、冷却された空気を送風するファンと
前記ファンを覆い、該ファンにより送風される空気を一方向に導くダクトを備えた回転自在なファンケーシングとを備え、
前記ダクトは前記空気吹出口のいずれか一つに連通していることを特徴とする空気調和装置。
【請求項２】
前記ダクトは伸縮自在であることを特徴とする請求項１に記載の空気調和装置。
【請求項３】
前記ダクトと連通しない前記空気吹出口は塞ぎ板で塞がれていることを特徴とする請求項１又は２に記載の空気調和装置。
【発明の詳細な説明】
【技術分野】
【０００１】
この発明は、携帯電話の基地局などのいわゆる電算室に主に設置され、サーバー装置等を冷却する空気調和装置に関するものである。
【背景技術】
【０００２】
従来から、サーバー装置などが設置された電算室は、機器類の配線などを這わせるための空間を設けるため、床面の上に空間を設けて二重床の構造とする、いわゆるフリーアクセスフロアを設置していることが多い。また、一般にこのような電算室などは、サーバー装置の増設などにより、室内での配置が変更されることも多い。従って、サーバー装置などを冷却するための空気調和装置は、配置替えなどを考慮してフリーアクセスフロアの上に設置されることが一般的である。
【０００３】
このとき、サーバー装置からの発熱による室温上昇を抑えるために電算室内の空調を行う空気調和装置は、床面上に機器類の配線以外に風路を遮断する障害が無い床面とフリーアクセスフロアの間の空間を通風して、室内全体にほぼ均一に冷気が行き渡るようにするため、冷気をフリーアクセスフロアの下へ下向きに吹き出すようにし、Ｌ字形のダクトなどを介して風向きを９０度方向に変え、床面とフリーアクセスフロアの間の空間を通風するように設置される。送風された冷気は、フリーアクセスフロアに設けられた吹き出し口から上方向に吹き出され、電算室内およびサーバー装置を冷却するようになっており、冷却後の空気は空気調和装置の上部から吸い込まれる。
【０００４】
一方で、天井が低くフリーアクセスフロアの上に設置することができない場合や、フリーアクセスフロアの上に設置すると空気調和装置の上部から空気を吸い込む空間が少なく吸い込み量が少なくなる場合には、特許文献１に記載された空気調和装置のように、二重床の下側の床面に設置され、床面とフリーアクセスフロアの間の空間を水平に冷気が通るように空気調和装置の前面から冷気を吹き出すようにしているものもある。
【先行技術文献】
【特許文献】
【０００５】
【特許文献１】特開平１１−１４８７１０号
【発明の概要】
【発明が解決しようとする課題】
【０００６】
上記説明した従来の空気調和装置では、それぞれ下吹き用の空気調和装置や前面吹き用の空気調和装置を設置環境に応じて準備することになるため、天井の高さなどの設置状況や設置後の配置替えなどに柔軟に対応することが困難である。従って、それぞれ異なる種類の空気調和装置をラインナップとして設定する必要があり、在庫管理や生産効率が悪いという問題点があった。
【０００７】
この発明は、上述のような問題を解決するためになされたものであり、設置環境に係らずに設置することが出来る空気調和装置を提供することを目的としている。
【課題を解決するための手段】
【０００８】
この発明に係る空気調和装置は、正面パネル、側面パネル、背面パネル、及び底面パネルにより形成された本体ケーシングと、底面パネル、正面パネルおよび／または背面パネルのそれぞれに設けられた空気吹出口と、本体ケーシング内に備えられ、本体ケーシングの上部から吸い込んだ空気を冷却する熱交換器と、熱交換器下部に配置され、冷却された空気を送風するファンと、ファンを覆い、ファンにより送風される空気を一方向に導くダクトを備えた回転自在なファンケーシングとを備え、ダクトが前記空気吹出口のいずれか一つに連通していることを特徴とするものである。
【発明の効果】
【０００９】
この発明によれば、ファンにより送風される空気を一方向に導くダクトを備えた回転自在なファンケーシングを備えることで、ダクトを、底面パネル、正面パネルおよび／または背面パネルのそれぞれに設けられた空気吹出口のいずれか一つに連通させることが出来るので、設置環境に係らずに設置することが出来る空気調和装置を得ることができる。
【図面の簡単な説明】
【００１０】
【図１】この発明の実施の形態１に係る空気調和装置の正面図、底面図、背面図である。
【図２】この発明の実施の形態１に係る空気調和装置の正面断面図である。
【図３】この発明の実施の形態１に係るファンケーシングの断面図である。
【図４】この発明の実施の形態１に係るファンケーシングの向き毎の空気調和装置の側面断面図である。
【図５】この発明の実施の形態１に係る空気調和装置をフリーアクセスフロアの上に設置したときの電算室を示す図である。
【図６】この発明の実施の形態１に係る空気調和装置をフリーアクセスフロアの下の床面に設置したときの電算室を示す図である。
【図７】この発明の実施の形態１に係る空気調和装置を電算室の壁の外側に設置したときを示す図である。
【図８】この発明の実施の形態１に係る空気調和装置をフリーアクセスフロアの下の床面に設置し、ファンの空気を斜め下に吹き出すときの電算室を示す図である。
【発明を実施するための形態】
【００１１】
実施の形態１．
図１と図２を用いて本実施形態に係る空気調和装置１の構造を説明する。図１は本実施の形態に係る空気調和装置１の正面図、図２は本実施の形態に係る空気調和装置１の正面断面図を示したものである。空気調和装置１には、本体ケーシング２の上部にフィルター３で被われた吸込口５、本体ケーシング２の底部には空気吹出口６ｂが、本体ケーシング２の正面パネルには空気吹出口６ａが、本体ケーシング２の背面パネルには空気吹出口６ｃが形成されている。空気吹出口６ａ、６ｂ、６ｃはそれぞれ未使用時には、本体ケーシング２内の空気が漏れないように、蓋パネル７ａ、７ｂ、７ｃで塞がれるようになっている。本体ケーシング２の正面パネルには、空気調和装置１の運転モードや温度設定などを行うコントロールパネル１７が備えられている。さらに、吸込口５の下部には、吸い込んだ空気を冷媒と熱交換して冷気にする熱交換器４が配置されている。また、その下部にはファン８とそれをカバーするファンケーシング９が配置されており、熱交換器４からの冷気はファンケーシング９の両側側面に設けられた吸込開口５１ａ、５１ｂからファンケーシング９内に吸い込まれ、ファン８により送風される。ファンケーシング９、モーター１１、軸受部１５、プーリーカバー１２は本体ケーシング２の送風機台１０上に設置されており、通常、送風機台１０の底部は空気吹出口６ａと連通している。プーリーカバー１２は、ファンケーシング９の一方の吸込開口５１ｂの近傍に配置され、モーター用プーリー、ファン用プーリー、および周回ベルトなどを被うように形成されている。ファンケーシング９は送風機台１０にネジおよびボルトナットにより締結され、ファン８の回転軸１４はファンケーシング９の両側方に配置された軸受部１５でベアリングを介して回動自在に支持されている。送風機台１０とファンケーシング９とを締結しているネジを取り外すことで、ファンケーシング９が回転軸１４を軸として回動自在とされ、ファンケーシング９の送風口６２の向きを自在に変更することが可能となっている。なお、本実施の形態では、ファン８としてシロッコファンが使用されるが、これに限らない。
【００１２】
図３は、本実施の形態に係るファンケーシング９の側面断面図である。ファンケーシング９の送風口６２には、送風ダクト６３が設けられ、スライドレール（図示せず）により伸縮自在とされている。送風ダクト６３には、伸縮させたときに送風ダクト６３を空気吹出口６ａ、６ｂまたは６ｃに連通するよう送風口６２に固定する固定部材６５が設けられ、また、送風ダクト６３の送風口６２側の面にはゴム部材などで成形されたシール部材６６が設けられて、送風ダクト６３をスライドさせて伸縮させた際に生ずる隙間からファン８の風が漏れない構造となっている。
【００１３】
図４は、空気調和装置１のファンケーシング９の取り付け状態毎の側面断面図を示す。本実施の形態に係る空気調和装置１は、通常、図４（ａ）のようにファンケーシング９は下向きに取り付けられており、送風ダクト６３を伸ばして送風口６２が下に向くように構成され、送風機台１０を介して空気吹出口６ｂと連通して、ファン８の冷気を吹き出す。ファンケーシング９を図４（ｂ）のように前面方向に向くよう回動させる場合には、送風ダクト６３が本体ケーシング２や枠体などに干渉しないように送風ダクト６３を短くし、送風口６２が前面方向に向くように回動させる。そして、本体ケーシング２の正面パネルまでの距離に応じて送風ダクト６３を伸ばし、送風ダクト６３の端面が正面パネルに設けられた空気吹出口６ａに合うようにしてネジで固定させる。ファンケーシング９をより固定させるために支持部材１６を用いて送風機台１０に固定させる。同様に、ファンケーシング９を図３（ｃ）のように背面方向に向くよう回動させる場合には、送風ダクト６３が本体ケーシング２や枠体などに干渉しないように送風ダクト６３を短くし、送風口６２が背面方向に向くように回動させる。そして、本体ケーシング２の背面パネルまでの距離に応じて送風ダクト６３を伸ばし、送風ダクト６３の端面が背面パネルに設けられた空気吹出口６ｃに合うようにしてネジ等で固定させる。そして、ファンケーシング９をより固定させるために支持部材１６ａを用いて送風機台１０に固定させる。このようにすることで、ファン８の送風方向を自在に変更することができる。
【００１４】
次に、空気調和装置１を様々な設置環境にて設置したときの説明を行う。それぞれ、矢印の向きは空気が流れる方向である。まず、第一の設置形態として、空気調和装置１を天井が高い電算室２１に設置した時の説明を図５を用いて行う。電算室２１には、床面２３の上に空間２４を介して二重床となるようにフリーアクセスフロア２２が室内全域に設けられており、フリーアクセスフロア２２上に空気調和装置１および複数のサーバー装置２５が設置されている。このとき、空気調和装置１はフリーアクセスフロア２２上に載置されて、ファンケーシング９は下方向に送風するように構成される。このとき、空気吹出口６ａ、６ｃはそれぞれ蓋パネル７ａ、７ｃで塞がれている。
【００１５】
このとき、ファンケーシング９内のファン８を駆動させることで空気吸込口５から空気が本体ケーシング２内に吸い込まれ、熱交換器４で生成された冷気は、送風口６２から空気吹出口６ｂを経て空気吹出口６ｂに設けられたＬ字形のダクト２６により風向きを９０度方向に変え、空間２４内に流入する。更に、冷気は、空間２４を送風ダクトのようにして水平に流動することで、室内全体に冷気が行き渡る。そして、各サーバー装置２５の底と連通したフリーアクセスフロア２２上に設けられた冷気吹出口から、冷気が内部に流入する。冷気は、各サーバー装置２５の内部を冷却して上部から吹き出されて、電算室２１内を流動し、空気調和装置１の上部から吸い込まれる。
【００１６】
次に、第二の設置形態として、本実施の形態に関わる空気調和装置１を上記設置環境とは異なる、天井の低い電算室３１に設置した時の説明を図６を用いて行う。このとき、空気調和装置１は床面３３上に載置され、送風口６２が正面に冷気を吹き出すように構成される。このとき、空気吹出口６ｂ、６ｃはそれぞれ蓋パネル７ｂ、７ｃで塞がれている。空気吹出口６ａから水平に吹き出された冷気は、同様に空間３４内を流動し、各サーバー装置３５の底と連通したフリーアクセスフロア３２上に設けられた冷気吹出口から、冷気が内部に流入する。冷気は、各サーバー装置３５の上部から吹き出されて電算室３１内を流動し、空気調和装置１の上部から吸い込まれる。
【００１７】
次に、第三の設置形態として、本実施の形態に関わる空気調和装置１を電算室４１の外側４８、例えば隣の部屋や廊下などに設置した時の説明を図７を用いて行う。このとき、空気調和装置１は電算室４１の壁４６の外側に載置され、かつコントロールパネル１７を外側正面から操作できるよう載置される。送風口６２が空気調和装置１の背面の空気吹出口６ｃから冷気を吹き出すように構成され、送風口６２は空気吹出口６ｃに固定される。このとき、空気吹出口６ａ、６ｂはそれぞれ蓋パネル７ａ、７ｂで塞がれている。空気吹出口６ｃから水平に吹き出された冷気は、同様に空間４４を流動し、各サーバー装置３５の底と連通したフリーアクセスフロア４２上に設けられた冷気吹出口から、冷気が内部に流入する。冷気は、各サーバー装置４５の上部から吹き出されて電算室４１内を流動し、空気調和装置１の空気吸込口５に設けられたダクト４７と連通して壁４６に設けられた吸込みパネル４９から、ダクト４７を介して空気吸込口５から吸い込まれる。
【００１８】
これにより、部屋が狭いなどの理由により、電算室４１内に空気調和装置１を設置できない場合においても、電算室４１の空調を行うことが出来るようになる。また、通常、電算室のサーバー装置には、機密データなどが保管されていることが多く、第三の実施形態とすることで電算室に立ち入ることなく空気調和装置１の操作やメンテナンスを行うことが出来る。
【００１９】
さらに、天井の高い電算室２１においても空気調和装置１を、第二または第三の設置形態の如く設置する形態をとると、Ｌ字形のダクトを設ける必要が無くなり、Ｌ字形のダクトによって風向きを強制的に変えることで送風された冷気がダクトに衝突して曲がり圧損が生じて風量の低下を招き、十分な風量を確保できないという問題をなくすることができる。つまり、空気調和装置から離れた箇所を十分に冷却できず、サーバー装置等が急激に高温になってしまうというようなことを避けることができる。
【００２０】
本実施の形態においては、空気調和装置１の鉛直方向、及び正面、背面の水平方向に吹き出すよう構成したものであるが、より設置環境に適合する装置となるよう、例えば、図８の如く、正面斜め下に吹き出すことができる構成としても良い。このとき、ファンケーシング９からの冷気が本体ケーシング２の正面パネル２ａに形成された空気吹出口６ｄから斜め下に吹き出すように構成される。
【００２１】
また、本実施の形態においては、空気調和装置１は床またはフリーアクセスフロア上に直接設置するようにしているが、振動を低減するための防振用架台を設置してその上に空気調和装置１を設置することもある。その場合、第一の設置形態においては、空気吹出口６ｂと防振用架台の底部とは連通するように形成される。
【００２２】
以上のように、空気調和装置１を設置する電算室の設置状況に合せて、冷気吹き出し方向を自在に変更できるように構成したので、設置環境に係らずに設置することが可能な空気調和装置を提供することが出来る。また、異なる機種を複数準備する必要がないので、生産の歩留り向上および在庫管理が容易になるという効果を奏する。
【符号の説明】
【００２３】
１  空気調和装置、２  本体ケーシング、２ａ  正面パネル、２ｂ  底面パネル、２ｃ  背面パネル、４  熱交換器、８  ファン、９  ファンケーシング、６２  送風口。
【図１】
2012163274.tif 000003
【図２】
2012163274.tif 000004
【図３】
2012163274.tif 000005
【図４】
2012163274.tif 000006
【図５】
2012163274.tif 000007
【図６】
2012163274.tif 000008
【図７】
2012163274.tif 000009
【図８】
2012163274.tif 000010